(57)【要約】【課題】ミシンの布切りメス装置において、固定メスと動メスの噛み合い角度の調整を容易に行うこと。【解決手段】ミシンの駆動に連動して揺動回転する動メス駆動軸３と、該動メス駆動軸の先端に固定され、動メス駆動軸の揺動回転によって先端がミシンベッド面高さに出没する動メス４と、該動メスを動メス駆動軸の先端から後端に向けて付勢する付勢手段３１と、動メスの付勢方向側に隣接する固定メス取付台６に固定される固定メス７と、ミシン機枠１に軸支される基部５１と固定メス取付台に挿入固定される先端部５２とを有するとともに、該先端部が基部の軸線に対して交差する方向の軸線を有し、ミシン機枠に対して回転可能な支持体５と、基部を前記ミシン機枠に所定状態で固定する固定手段１２と、を設けた。【選択図】図１
2005334034.tif 000002
【特許請求の範囲】
【請求項１】
ミシンの駆動に連動して揺動回転する動メス駆動軸と、
該動メス駆動軸の先端に固定され、前記動メス駆動軸の揺動回転によって先端がミシンベッド面高さに出没する動メスと、
該動メスを前記動メス駆動軸の先端から後端に向けて付勢する付勢手段と、
前記動メスの付勢方向側に隣接する固定メス取付台に固定される固定メスと、
ミシン機枠に軸支される基部と前記固定メス取付台に挿入固定される先端部とを有するとともに、該先端部が前記基部の軸線に対して交差する方向の軸線を有し、前記ミシン機枠に対して回転可能な支持体と、
前記基部を前記ミシン機枠に所望の回転位置で固定可能な固定手段と、
を備えることを特徴とするミシンの布切りメス装置。
【請求項２】
請求項１に記載のミシンの布切りメス装置において、
前記先端部は、その先端面が前記固定メス取付台から外部に露出するように挿入固定され、当該先端面に、前記支持体に回転力を付与する回転操作具に係合する係合部を形成したことを特徴とするミシンの布切りメス装置。
【発明の詳細な説明】
【技術分野】
【０００１】
本発明は、ミシンの布切りメス装置に関する。
【背景技術】
【０００２】
従来、ミシンにおいて、動メスを支持する動メス軸の揺動回転により、動メスがミシンベッド面に出没して布を固定メスと挟んで切断する布切りメス装置が知られている（例えば、特許文献１参照。）。
具体的に、布切りメス装置は、ミシンベッドに固定メス取付台が設けられ、この固定メス取付台には、固定メスが固定されている。また、ミシンベッドには、一端に動メスが取り付けられた動メス軸が回動自在に支持されている。動メス軸のうち、動メスが取り付けられる一端は、若干傾斜して形成されており、動メス軸の揺動回転により、動メスは動メス軸の軸線に対して偏心した状態で揺動回転するようになっている。これは、動メスと固定メスの噛み合いを良好に保つためである。また、動メスは、固定メスに隣接して設けられ、ばね等によって固定メス側に付勢されている。そして、動メスが固定メスに対して摺動することにより、布を切断できるようになっている。
【０００３】
ここで、固定メスと動メスとの間に隙間があると、布を切断することができない。また、動メスが必要以上に固定メス側に向いていると、互いの刃が接触して刃こぼれを起こしてしまう。そのため、固定メスと動メスの噛み合い角度は、布の切断にあたって重要な要素であり、噛み合い角度の調整には高い精度が要求される。
噛み合い角度の調整にあたっては、まず、動メス軸と動メス軸を揺動回転させる駆動機構とを切り離し、動メスの動メス軸線方向への位置調整を行うと共に、動メス軸への動メスの取り付け位置を調整する。そして、動メスが最適な範囲内で揺動回転するように駆動機構と動メス軸とを連結位置を調整する。すなわち、複数の異なる箇所で調整を行う必要がある。
【特許文献１】特開２０００−３４２８７４号公報
【発明の開示】
【発明が解決しようとする課題】
【０００４】
しかし、上述の噛み合い角度の調整においては、複数の異なる箇所での位置調整が必要であったため、高精度な噛み合い角度の調整には手間がかかり、熟練した調整技術も必要であった。
【０００５】
そこで、本発明は、上記の課題を解決するためになされたものであり、その目的は、固定メスと動メスの噛み合い角度の調整を容易に行うことができるミシンの布切りメス装置を提供することである。
【課題を解決するための手段】
【０００６】
以上の課題を解決するため、請求項１に記載の発明は、ミシンの布切りメス装置であって、ミシンの駆動に連動して揺動回転する動メス駆動軸と、該動メス駆動軸の先端に固定され、前記動メス駆動軸の揺動回転によって先端がミシンベッド面高さに出没する動メスと、該動メスを前記動メス駆動軸の先端から後端に向けて付勢する付勢手段と、前記動メスの付勢方向側に隣接する固定メス取付台に固定される固定メスと、ミシン機枠に軸支される基部と前記固定メス取付台に挿入固定される先端部とを有するとともに、該先端部が前記基部の軸線に対して交差する方向の軸線を有し、前記ミシン機枠に対して回転可能な支持体と、前記基部を前記ミシン機枠に所望の回転位置で固定可能な固定手段と、を備えることを特徴とする。
【０００７】
請求項１に記載の発明によれば、支持体を回転させることにより、基部と先端部は共に回転し、基部はミシン機枠に軸支された状態で回転する。このとき、支持体の先端部は基部の軸線に対して交差する方向の軸線を有しているので、先端部は基部に対して偏心した状態で回転する。
これにより、先端部が挿入固定される固定メス取付台も偏心しながら回転することとなり、固定メス取付台に固定された固定メスは、動メスとの噛み合い角度が回転と共に変化する。そして、固定メスと動メスの噛み合い角度が最適な噛み合い角度となったときに、固定手段により、基部はミシン機枠に固定される。
【０００８】
このような手順で固定メスと動メスの噛み合い角度が調整された後に、ミシンを駆動させると、ミシンの駆動に連動して動メス駆動軸は揺動回転し、動メス駆動軸の先端に固定された動メスは動メス駆動軸の揺動回転によって先端がミシンベッド面高さに出没する。このとき、動メスは付勢手段によって固定メス側に付勢されているので、動メスは固定メスを押さえ付けた状態で摺動し、ミシンベッド面上の布を動メスと固定メスで挟み込んで切断する。
従って、作業者は、最適な位置まで支持体を回転させ、固定手段により基部をミシン機枠に固定するだけで、動メスと固定メスとの噛み合い角度を容易に調整できる。
【０００９】
請求項２に記載の発明は、請求項１に記載のミシンの布切りメス装置において、前記先端部は、その先端面が前記固定メス取付台から外部に露出するように挿入固定され、当該先端面に、前記支持体に回転力を付与する回転操作具に係合する係合部を形成したことを特徴とする。
ここで、回転操作具は、係合部に係合するものであれば、電動で操作するものであってもよいし、手動で操作するものであってもよい。また、係合部は、回転操作具に係合するものであればその形状は問わない。要は、回転操作具と係合部とが係合して支持体を回転させるように構成されていればよい。
【００１０】
請求項２に記載の発明によれば、先端部の外部に露出する先端面に形成された係合部に回転操作具を係合させて支持体に回転力を付与することにより、支持体を回転させることができ、その結果、動メスと固定メスとの噛み合い角度を調整できる。
これにより、布切りメス装置の各部品を一切取り外すことなく、容易に支持体を回転させることができ、動メスと固定メスとの噛み合い角度を容易に調整できる。
【発明の効果】
【００１１】
請求項１に記載の発明によれば、作業者は、最適な位置まで支持体を回転させ、固定手段により基部をミシン機枠に固定するだけで、動メスと固定メスとの噛み合い角度を容易に調整でき、布を的確に切断することができる。
【００１２】
請求項２に記載の発明によれば、布切りメス装置の各部品を一切取り外すことなく、容易に支持体を回転させることができ、動メスと固定メスとの噛み合い角度を容易に調整できる。
【発明を実施するための最良の形態】
【００１３】
以下、図面を参照して、本発明に係るミシンの布切りメス装置（以下、布切りメス装置という。）の最良の形態について詳細に説明する。なお、本実施形態においては、布の送り方向の左側で布を切断する左メス装置を例に挙げて説明する。
【００１４】
図１に示すように、布切りメス装置１００は、ミシン機枠１に設けられ、布の切断位置が針板２とほぼ同じ高さとなるように設置されている。
＜動メス＞
布切りメス装置１００には、ミシンの駆動に連動して揺動回転する動メス駆動軸３が設けられている。
動メス駆動軸３は、ミシン機枠１に回動自在に挿通されており、ミシン機枠１に設けられた駆動機構Ｄに連結されている。動メス駆動軸３は、駆動機構Ｄにリンク接続されており、駆動機構Ｄが動メス駆動軸３の周方向への往復運動エネルギーを動メス駆動軸３に与えることにより、動メス駆動軸３は揺動回転するようになっている。
【００１５】
動メス駆動軸３の先端には、動メス駆動軸３の揺動回転によって先端が針板２の高さに出没する動メス４が取り付けられている。
動メス４は、その先端部が鉤型に湾曲して形成された刃部４１を有しており、基端部に形成された挿通孔４２に動メス駆動軸３が挿通されている。なお、挿通孔４２は、図２に示すように、ネジ４３のねじ込み量により挿通孔４２の大きさを調整できるようになっており、動メス駆動軸３の多少の径の変化には対応できる構造とされている。
【００１６】
図１に示すように、動メス駆動軸３の後端には、動メス４を動メス駆動軸３の先端から後端に向けて付勢する付勢手段としてのバネ３１が設けられている。具体的に、バネ３１は、コイルバネであり、動メス駆動軸３が通されている。バネ３１の一端部は、ミシン機枠１に設けられ、動メス駆動軸３をその軸線方向に移動自在に支持するブラケットＢ１に接続されている。また、バネ３１の他端部は、動メス駆動軸３に取り付けられたブラケットＢ２に接続されている。ブラケットＢ１とブラケットＢ２間の距離は、バネ３１の自然長よりも短くされており、ブラケットＢ２がバネ３１の自然長に戻ろうとする弾性力により動メス駆動軸３の先端から後端に向けて付勢され、このブラケットＢ２と共に動メス駆動軸３も先端から後端に向けて付勢されている。これにより、動メス駆動軸３の先端に取り付けられた動メス３も動メス駆動軸３の先端から後方に向けて付勢された状態となっている。
【００１７】
＜固定メス＞
布切りメス装置１００には、図１、図３、図４に示すように、ミシン機枠１に対して回転可能な支持体５が設けられている。
支持体５には、図３、図４に示すように、ミシン機枠１に回転可能に軸支される基部５１と、固定メス取付台６（後述する）に挿入されて固定される先端部５２と、が設けられている。
【００１８】
基部５１は、略円柱状に形成されており、ミシン機枠１に形成された挿入孔１１に挿入されている。また、ミシン機枠１のうち、挿入孔１１の上方には、固定手段としてのネジ１２を挿入して基部５１をミシン機枠１に所望の回転位置で固定するための固定孔１３が挿入孔１１に貫通して形成されている。すなわち、挿入孔１１に基部５１を挿入し、基部５１を回転させて最適な位置となったときに固定孔１３からネジ１２を挿入して基部５１を固定することができるようになっている。
先端部５２は、基部５１よりも外径が小さい略円柱状に形成されている。先端部５２は、基部５１に対して若干傾斜された形状を有しており、基部５１の軸線に対して交差する軸線を有している。
【００１９】
先端部５２の先端面５３には、先端部５２を介して支持体５を回転させる際に、支持体５に回転力を付与する回転操作具に係合する係合部５４が形成されている。なお、回転操作具は、例えば、汎用のマイナスドライバー等を用いることが手軽であり好ましい。回転操作具として、マイナスドライバーを用いる場合、係合部５４は、先端面を横切る直線上の溝が形成されることとなる。
【００２０】
この先端部５２には、固定メス７（後述する）を取り付けるための固定メス取付台６が設けられており、この固定メス取付台６は、動メス４の付勢方向側に隣接するように設けられている。
固定メス取付台６は、略台形状に形成された板材から成形されており、その前面の右上方には、支持体５の先端部５２を挿通させるための挿通孔６１が後面に貫通して形成されている。また、固定メス取付台６の上面のうち、挿通孔６１の上方には、ネジ６２を挿入して支持体５の先端部５２を固定するための固定孔６３が挿通孔６１に貫通して形成されている。
【００２１】
また、固定メス取付台６には、挿通孔６１の左側に幾らかの距離をおいて固定部材７１（後述する）を取り付けるための取付孔６４が形成されている。
この取付孔６４のさらに左側には、固定メス７を押し当てて、固定メス７の取付位置をガイドするメスガイド６５が形成されている。メスガイド６５は、固定メス７を取り付ける側が低くなるような段差が形成されると共に、固定メス取付台６の上端から下端に向けて傾斜して形成されている。
【００２２】
固定メス７は、長尺な板状に形成され、長手方向に沿った一側縁に刃部７１が形成されており、固定メス７の刃部７１が動メス４の刃部４１に摺接することで布を切断することができるようになっている。この固定メス７は、固定メス７を固定メス取付台６に取り付けるための固定部材７２によってメスガイド６５に沿って取り付けられ、固定されている。
固定部材７２は、略台形状に形成された板材であり、固定メス７をメスガイド６５に押し当てる側縁は、固定メス７の側縁に沿って傾斜して形成されている。この固定部材７２には、固定メス取付台６にネジ７３を介して固定部材７２を取り付けるための固定孔７４が形成されている。
【００２３】
次に、布切りメス装置１００による動メス４と固定メス７の噛み合わせ角度の調整時の動作について説明し、併せて布の切断方法について説明する。
図５に示すように、最初に、ネジ１２を緩めて支持体５の基部５１をミシン機枠１内で回転自在とさせる。次いで、マイナスドライバーの先端を係合部５４に係合させ、マイナスドライバーを回転させて、固定メス７の刃部７１と動メス４の刃部４１との噛み合わせが最適になる位置を探す。なお、噛み合わせ角度の微調整をする際には、ネジ６２を緩めて固定メス取付台６を支持体５の先端部に対して回転させて行ってもよい。
固定メス７の刃部７１と動メス４の刃部４１との最適な噛み合わせ位置が決まったら、ネジ１２を締めて基部５１をミシン機枠１に固定する。
【００２４】
次に、布切りメス装置１００による布の切断動作について説明する。
布を切断する前は、図６に示すように、動メス４の刃部４１は、ミシン機枠１の下方に位置しており、この位置が下死点となる。一方、布を切断する際には、図７に示すように、動メス４の刃部４１は、固定メス７の刃部７１と重なり合うように位置しており、この位置が上死点となる。
すなわち、動メス駆動軸３を揺動回転させて動メス４を上死点から下死点の範囲内で揺動回転させることにより、上死点で固定メス７と動メス４とに挟まれた布は切断される。
【００２５】
図８には、固定メス７と動メス４とによる布Ｃの切断状態が示されている。この切断は、その端縁Ｅを裏側に折り返した状態で針板２の針落ち位置Ｈに送り込まれる布Ｃを対象とし、針落ち位置Ｈへの到達前に、折り返された端縁Ｅを適正幅の折り返し部を余して切断する。
動メス４は、下死点から上死点に向かう際に布Ｃを裏面側から押し上げ、鉤型に湾曲する刃部４１により折り返された端縁Ｅを捉え、この状態で下方に回動する。このとき、端縁Ｅは、動メス４と共に引き下げられ、固定メス７の刃部７１と動メス４の刃部４１との摺接部分に導かれて切断される。そして、動メス４の揺動回転と布送りを同期させることにより、折り返された端縁Ｅは連続的に切断される。
【００２６】
以上のように、本発明に係るミシンの布切りメス装置１００によれば、支持体５を回転させることにより、基部５１と先端部５２は共に回転し、基部５１はミシン機枠１に軸支された状態で回転する。このとき、支持体５の先端部５２は基部５１の軸線に対して交差する方向の軸線を有しているので、先端部５２は基部５１に対して屈曲した状態で回転する。
これにより、先端部５２が挿入固定される固定メス取付台６も基部５１の軸線に対して傾斜した軸線の回転に準じて回転することとなり、固定メス取付台６に固定された固定メス７は、動メス４との噛み合い角度が回転と共に変化する。そして、固定メス７と動メス４の噛み合い角度が最適な噛み合い角度となったときに、ネジ１２により、基部５１はミシン機枠１に固定される。
【００２７】
このような手順で固定メス７と動メス４の噛み合い角度が調整された後に、ミシンを駆動させると、ミシンの駆動に連動して動メス駆動軸３は揺動回転し、動メス駆動軸３の先端に固定された動メス４は動メス駆動軸３の揺動回転によって先端がミシンベッド面高さに出没する。このとき、動メス４はバネ３１によって固定メス７側に付勢されているので、動メス４は固定メス７を押さえ付けた状態で摺動し、ミシンベッド面上の布Ｃを動メス４と固定メス７で挟み込んで切断する。
従って、作業者は、最適な回転位置まで支持体５を回転させ、ネジ１２により基部５１をミシン機枠１に固定するだけで、動メス４と固定メス７との噛み合い角度を容易に調整できる。
【００２８】
また、支持体５の先端部５２の外部に露出する先端面５３に形成された係合部５４にマイナスドライバー等の回転操作具を係合させて支持体５に回転力を付与することにより、支持体５を回転させることができ、その結果、動メス４と固定メス７との噛み合い角度を調整できる。
これにより、布切りメス装置１００の各部品を一切取り外すことなく、容易に支持体５を回転させることができ、動メス４と固定メス７との噛み合い角度を容易に調整できる。
すなわち、従来の噛み合い角度の調整においては、動メス駆動軸の位置調整、動メスの動メス駆動軸への取り付け位置、駆動機構の動メス駆動軸への取り付け位置をそれぞれ位相がずれないように同期させて調整を行わなければならないのに対し、本発明の噛み合い角度の調整においては、固定メス７を動メス４に最適に噛み合わせるように調整するだけでよいため、他の部分との同期をとる必要がなくなり、噛み合い角度の調整にかかる時間を大幅に短縮させることができるとともに、作業者に熟練した技術が無くても噛み合い角度の調整を容易に行うことができる。
【００２９】
なお、本発明は、上記実施形態に限定されるものではなく、例えば、布の送り方向の右側で布を切断する右メス装置にも適用可能である。また、支持体のミシン機枠への固定方法、固定メスの固定メス取付台への固定方法も任意であって自由に設計変更可能である。また、支持体の基部と先端部は一体成形でもよいし、別体で設けてもよい。その他、本発明は、その要旨を逸脱しない範囲内で自由に変更、改良が可能である。
【図面の簡単な説明】
【００３０】
【図１】本発明に係るミシンの布切りメス装置の斜視図である。
【図２】本発明に係るミシンの布切りメス装置における動メス付近の機構を示す分解斜視図である。
【図３】本発明に係るミシンの布切りメス装置における固定メス付近の機構を示す斜視図である。
【図４】本発明に係るミシンの布切りメス装置における固定メス付近の機構を示す分解斜視図である。
【図５】本発明に係るミシンの布切りメス装置における固定メス付近の機構を示す断面図である。
【図６】本発明に係るミシンの布切りメス装置における動メスが待機位置にあるときの状態を示す斜視図である。
【図７】本発明に係るミシンの布切りメス装置における動メスが布切断位置にあるときの状態を示す斜視図である。
【図８】本発明に係るミシンの布切りメス装置における布の切断方法を説明する斜視図である。
【符号の説明】
【００３１】
１  ミシン機枠
３  動メス駆動軸
４  動メス
５  支持体
６  固定メス取付台
７  固定メス
１２  ネジ（固定手段）
３１  バネ（付勢手段）
５１  基部
５２  先端部
５３  先端面
５４  係合部
１００  布切りメス装置
【図１】
2005334034.tif 000003
【図２】
2005334034.tif 000004
【図３】
2005334034.tif 000005
【図４】
2005334034.tif 000006
【図５】
2005334034.tif 000007
【図６】
2005334034.tif 000008
【図７】
2005334034.tif 000009
【図８】
2005334034.tif 000010